(57)【要約】【課題】  携帯機器に所定の動作を指令するコマンドを起動する操作釦をコマンド毎に１対１に対応付けて設けている。この場合、携帯機器の小型化のために操作釦を小さくすると操作が困難になり、操作を優先して大きくすると小型化できない。【解決手段】  コマンドに対応してタッチパネル上に複数のコマンドの表示を表示しており、スキャンモード時、順次スキャンして各コマンドの表示をフォーカスする。そして、コマンド３の表示がフォーカスされているときには、いずれのコマンドの表示を操作してもコマンド３が実行されるように構成した。【選択図】          図１
2007086975.tif 000002
【特許請求の範囲】
【請求項１】
所定の動作を指令する複数のコマンドを記憶する記憶部、この記憶部から上記複数のコマンドを読み出し、各コマンドに対応した複数の表示を表示部に行なわせると共に、上記複数の表示を順次スキャンして各表示をフォーカスする制御部、上記複数のコマンドに対応した複数の入力箇所を有する入力部、この入力部への入力箇所を認識する入力箇所認識部を備え、上記入力部を操作した箇所が上記複数の入力箇所の何れかであると上記入力箇所認識部が認識したとき、上記制御部がフォーカスしている表示に対応したコマンドを実行させることを特徴とする携帯機器。
【請求項２】
入力部はタッチセンサからなり、表示部上に設けられていることを特徴とする請求項１に記載の携帯機器。
【請求項３】
入力部の複数の入力箇所は、表示部に表示されている各コマンドに対応した複数の表示がなされている箇所に対応していることを特徴とする請求項２に記載の携帯機器。
【請求項４】
所定の動作を指令する複数のコマンドを記憶する記憶部、この記憶部から上記複数のコマンドを読み出し、各コマンドに対応した複数の表示を表示部に行なわせる制御部、上記複数のコマンドに対応した複数の入力箇所を有する入力部、この入力部への入力箇所を認識する入力箇所認識部を備え、通常モードとスキャンモードとを有し、通常モードの場合、複数の入力箇所の何れか１箇所が操作されたことを上記入力箇所認識部が認識したときに、その入力箇所に対応するコマンドを実行させ、スキャンモードの場合、上記制御部は上記複数の表示を順次スキャンして各表示をフォーカスしており、上記入力部を操作した箇所が上記複数の入力箇所の何れかであると上記入力箇所認識部が認識したとき、上記制御部がフォーカスしている表示に対応したコマンドを実行させることを特徴とする携帯機器。
【発明の詳細な説明】
【技術分野】
【０００１】
本発明は、携帯電話機等の携帯機器に関し、特に所定の動作を指令するコマンドを実行指示する操作を改善した携帯機器に関する。
【背景技術】
【０００２】
携帯機器に所定の動作を指令する技術として特許文献１に記載されたものがある。この従来技術は、コマンドに対応して操作釦が設けられており、該当する操作釦が操作されたことによってコマンドの実行が行なわれる。
【０００３】
また、他の従来技術として、一定時間ごとに順次コマンドを表示部にスキャン表示し、特定の入力部が操作されたときに表示部に表示されているコマンドを実行するようにしたものがある。この技術は、物理的に小さな入力部としての操作釦が操作しづらいユーザーに対して、コマンドをスキャン表示することでコマンドに対する操作釦の数を減らし、その代わりに大きな操作釦を実装できるようにしたものである。
【０００４】
【特許文献１】特開２００１−３３１２６２号公報
【発明の開示】
【発明が解決しようとする課題】
【０００５】
従来の携帯機器は、コマンドに対応して操作釦を設けた場合には、操作釦を小さくする必要があってユーザーには操作がしづらい問題点がある。一方、コマンドをスキャン表示する場合には、大型の操作釦の実装を必要とし、かつ、現在起動可能なコマンドが視覚的に判るような専用の表示部を必要とする問題点があった。
【０００６】
本発明は、上記のような従来の問題点に鑑みてなされたものであり、操作が容易であり、かつ、大型の操作釦を実装する必要がなく、小型化が可能な携帯機器を得ることを目的としている。
【課題を解決するための手段】
【０００７】
本発明における携帯機器は、所定の動作を指令する複数のコマンドを記憶する記憶部、この記憶部から上記複数のコマンドを読み出し、各コマンドに対応した複数の表示を表示部に行なわせると共に、上記複数の表示を順次スキャンして各表示をフォーカスする制御部、上記複数のコマンドに対応した複数の入力箇所を有する入力部、この入力部への入力箇所を認識する入力箇所認識部を備え、上記入力部に入力された箇所が上記複数の入力箇所の何れかであるとき、上記制御部がフォーカスしている表示に対応したコマンドを実行させるように構成したものである。
【０００８】
また、本発明における携帯機器は、所定の動作を指令する複数のコマンドを記憶する記憶部、この記憶部から上記複数のコマンドを読み出し、各コマンドに対応した複数の表示を表示部に行なわせる制御部、上記複数のコマンドに対応した複数の入力箇所を有する入力部、この入力部への入力箇所を認識する入力箇所認識部を備え、通常モードとスキャンモードとを有し、通常モードの場合、複数の入力箇所の何れか１箇所が操作されたことを上記入力箇所認識部が認識したときに、その入力箇所に対応するコマンドを実行させ、スキャンモードの場合、上記制御部は上記複数の表示を順次スキャンして各表示をフォーカスしており、上記入力部を操作した箇所が上記複数の入力箇所の何れかであると上記入力箇所認識部が認識したとき、上記制御部がフォーカスしている表示に対応したコマンドを実行させるように構成したものである。
【発明の効果】
【０００９】
本発明によれば、コマンドの実行を指示する入力箇所の範囲を大きくすることができるようにしたので、操作が容易にできる効果があるとともに、小型化が図れる効果がある。
【発明を実施するための最良の形態】
【００１０】
図１は、本発明の実施の形態に係るコマンド入力方式の手順を示した説明図であり、左側に通常モード時の入力方式を示し、右側にスキャンモード時の入力方式を示している。また、この実施の形態では、入力部として表示機能を有するタッチパネルを用いている。
【００１１】
通常モード時、（１−Ａ１）では、タッチパネル上に携帯機器が実行可能なコマンドに対応した「コマンド１」、「コマンド２」、「コマンド３」の表示が釦表示内に表示されている。この通常モード時は、コマンドの表示部分がコマンドを起動する入力箇所であり、タッチパネル上のコマンド１〜３の表示をユーザーが押圧操作することにより、押圧したコマンド表示に対応するコマンドが携帯機器によって実行される。即ち、（１−Ａ１）では、ユーザーがタッチパネル上の「コマンド２」の表示部を押圧している。これにより、携帯機器はコマンド２を実行し、タッチパネル上にコマンド２が実行されていることを表示する（１−Ａ２）。図１では、コマンド２の表示を押圧操作した例を記載しているが、タッチパネル上の「コマンド１」、「コマンド３」の表示が押圧されると各々の表示に対応したコマンド１、コマンド３が実行される。
【００１２】
次に、図１左側のスキャンモード時は、通常モード時と同様に、タッチパネル上に「コマンド１」、「コマンド２」、「コマンド３」の表示が釦表示内に表示されるが、携帯端末がスキャンモードを起動されている状態であると判断すると（１−Ｂ１）、各コマンドの表示を順次スキャンすることにより各表示をフォーカスする。即ち、（１−Ｂ２）は、タッチパネル上に表示された「コマンド１」を黒枠で囲んでフォーカスしている。また、（１−Ｂ３）では、「コマンド２」が黒枠で囲まれてフォーカスされ、（１−Ｂ４）では、「コマンド３」が黒枠で囲まれてフォーカスされている。
【００１３】
このように、スキャンモードでは各コマンドの表示を順次スキャンして各表示をフォーカスしており、（１−Ｂ４）のように「コマンド３」がフォーカスされている状態でユーザーがタッチパネル上の「コマンド２」の表示を押圧操作したとすると、フォーカスされている「コマンド３」の表示に対応したコマンド３が携帯機器によって実行され、タッチパネル上に（１−５Ｂ）のようにコマンド３が実行されていることが表示される。（１−Ｂ４）でユーザーは「コマンド２」の表示を押圧操作しているが、「コマンド１」又は「コマンド３」の表示を押圧操作しても、同様にコマンド３が実行される。つまり、スキャンモードでは、タッチパネル上に表示された「コマンド１」、「コマンド２」、「コマンド３」の入力箇所のいずれか一つ、又はそれらの複数が押圧操作されれば、フォーカスされているコマンドの表示に対応したコマンドが実行されることになる。したがって、コマンドの実行を操作するための入力箇所の範囲大きくなり、大きな操作釦を実装したかのように、操作が容易になる。
【００１４】
この実施の形態では、通常モードとスキャンモードとは同じハードウエアを利用するだけであるが、モードをスキャンモードに切り換えることにより、コマンドの実行を指示する入力箇所の範囲を大きくすることができる。なお、スキャンモード時において、各コマンドの表示をスキャンするスピードは、速すぎると操作しづらく、遅すぎるとユーザーが希望するコマンドの表示がフォーカスされるまでに時間がかかる。このため、１秒程度のスピードでスキャンするのが望ましい。
【００１５】
次に、図２は本発明の別の実施の形態に係るコマンド入力方式の手順を示した説明図であり、左側に通常モード時の入力方式を示し、右側にスキャンモード時の入力方式を示している。また、この実施の形態は、入力部として押しボタンを利用したものである。
【００１６】
まず、図２左側の通常モードでは、（２−Ａ１）に示すように携帯機器が実行可能なコマンドに対応して、「コマンド１」の押しボタン、「コマンド２」の押しボタン、「コマンド３」の押しボタンが示されている。これらの「コマンド１」の押しボタン、「コマンド２」の押しボタン、「コマンド３」の押しボタンは対応するコマンドと１対１に対応している。したがって、（２−Ａ１）のようにユーザーが「コマンド２」の押しボタンを押圧操作すると、携帯端末はコマンド２を実行する（２−Ａ２）。
【００１７】
次に、図２右側のスキャンモードでは、ＬＥＤなどの表示デバイスで各コマンドの押しボタンを照明してフォーカスすることで、スキャンを行う。（２―Ｂ１）ではコマンド１に対応した押しボタンが照明され、フォーカスされている。（２−Ｂ２）ではコマンド２に対応した押しボタンが、（２−Ｂ３）ではコマンド３に対応した押しボタンがそれぞれ照明され、フォーカスされている。つまり、この実施の形態では、押しボタンを順次照明してフォーカスしていくことでスキャンが行われている。そして、（２−Ｂ４）に示すように、コマンド３の押しボタンがフォーカスされているときに、ユーザーがいずれかの押しボタンを押圧操作すると、携帯端末はコマンド３を実行する（２−Ｂ５）。（２−Ｂ４）では、ユーザーがコマンド２の押しボタンを押圧操作しているが、コマンド１又はコマンド３の押しボタンを押圧操作しても、携帯端末はコマンド３を実行すし、３つの押しボタンのいずれか一つ又は複数が押圧操作されても、コマンド３を実行する。
【００１８】
この実施の形態では、スキャンモードにすることによって、一つのコマンドを指令する押しボタンを３つにできる。即ち、コマンドを指令する入力箇所を増やすことで、コマンドの実行を指示する入力箇所の範囲を大きくできる。
【００１９】
図３は、本発明の実施の形態に係る携帯端末を示したブロック構成図である。図において、１はタッチパネル、押しボタン等からなる入力部、２はユーザーが入力部１を押圧操作した箇所を認識する入力箇所認識部、３は携帯端末が実行可能なコマンドを記憶部５から読み出して表示部４にコマンドの表示データを供給するとともに、上記入力箇所認識部２へ表示部１に供給した表示データの情報を入力する入力反応領域制御部である。
【００２０】
即ち、図３の携帯端末における入力部１はタッチパネルであり、表示部４はタッチパネルの表示機能としての表示部である。したがって、入力反応領域制御部３は表示部４へ表示を指示するとともに、入力箇所認識部２へ表示の位置情報を供給する。そして、入力箇所認識部２は携帯機器のモードが通常モードであるか、スキャンモードであるかによって、入力反応領域制御部３から供給された位置情報と入力部１のユーザーによる入力箇所からコマンドの実行操作か、否かを判別し、コマンド実行の場合、コマンド呼び出し部６へ呼び出しを指示する。コマンド呼び出し部６は入力箇所認識部２の呼び出し指示に基づいて記憶部５からコマンドを呼び出し、コマンド実行部７へコマンドの実行を指示する。
【００２１】
以下、図４に示すフローチャートにより、図３の動作を説明する。
【００２２】
まず、（ＳＴ７）で携帯端末が通常モードであるか、スキャンモードであるかを判断し、通常モードであれば（ＳＴ１０）へスキャンモードであれば（ＳＴ８）へ移行する。携帯端末のモードは入力反応領域制御部３及び入力箇所認識部２が認識している。いま、携帯端末のモードが通常モードであったとすると、処理が（ＳＴ１０）に移行し、（ＳＴ１）で入力部１に入力があったか、判断する。入力部１に入力があったとすると、入力箇所認識部２は入力反応領域制御部３から表示部４におけるコマンドの表示位置とコマンドの情報を予め入力しており、ユーザーによる押圧等の入力位置がコマンドを起動する入力箇所であるかどうかを判断する（ＳＴ１０）。入力部１への入力が所定の入力箇所であると入力箇所認識部２はその入力箇所に対応したコマンドの呼び出しをコマンド呼び出し部６に指令する。コマンド呼び出し部６は入力箇所認識部２からの呼び出し指令に基づいて記憶部５から所定のコマンドを呼び出してコマンド実行部７へコマンドの実行を指示する（ＳＴ１１）。
【００２３】
次に、携帯機器がスキャンモードであれば、（ＳＴ７）から（ＳＴ８）へ処理が移行する。スキャンモードの場合、入力箇所認識部２はタッチパネル上のコマンド表示の入力箇所のいずれかに入力があれば、コマンド指令することを認識し、入力部１におけるコマンド指令領域を実質的に拡大する（ＳＴ８）。次いで、（ＳＴ９）で入力反応領域制御部３は、表示部４のコマンドの表示に起点となる入力部、例えば「コマンド１」の表示箇所をフォーカスする表示を行わせる。コマンドをフォーカスした情報は入力反応領域制御部３から入力箇所認識部２へ伝達される。次いで、（ＳＴ６）でスキャンするタイマーの設定を０に設定し（ＳＴ６）、次の（ＳＴ２）へ移行する。（ＳＴ２）では、（ＳＴ１）での入力が指定の入力部領域内、即ち、いずれかのコマンドの表示領域か否かを判断し、入力がない場合、又は入力がコマンドの表示領域外であった場合、でタイマーを実時間に連動して加算する（ＳＴ３）。次いで、タイマーが指定の閾値秒数を越えたかを判断し（ＳＴ４）、越えていなければ（ＳＴ２）〜（ＳＴ４）の処理を繰り返して、（ＳＴ１）の入力を待つ。
【００２４】
（ＳＴ４）でタイマーが指定の閾値を越えると入力部のフォーカスを次の入力部へ移動させる（ＳＴ５）。即ち、入力反応領域制御部３は、表示部４でフォーカス表示している入力部としてのコマンド１の表示から次のコマンド２の表示に対してフォーカス表示する。以降、（ＳＴ２）で指定の入力部領域に入力があったと判断されるまで、タイマー時間を越えるまでは（ＳＴ２）〜（ＳＴ４）の処理を実行し、タイマー時間を越えると（ＳＴ５）、（ＳＴ６）でフォーカスする入力部を次に移してスキャンする動作を行う。
【００２５】
いま、（ＳＴ１）で入力部１に入力があったとすると、その入力が指定の入力領域内か否かを判断し、指定の入力領域であると、現在フォーカスしているコマンドを実施する（ＳＴ１２）。
即ち、入力箇所認識部２は入力反応領域制御部３から表示部４に表示しているコマンド表示、その位置情報及び現在フォーカスしているコマンド表示の情報を得ている。入力部１に入力があり、その入力がコマンド表示のいずれかの領域であれば、そのときフォーカスされているコマンドの呼び出しをコマンド呼び出し部６へ指示する。コマンド呼び出し部６は入力箇所認識部２の指示するコマンドを記憶部５から読み出してコマンド実行部７へコマンドの実行を指示する。
【００２６】
このように、この実施の形態のスキャンモードは、コマンドを指令する入力箇所を増やすことで、コマンドの実行を指示する入力箇所の範囲を大きくできる。
【産業上の利用可能性】
【００２７】
本発明は、携帯電話機などの各種のコマンドの実行を指示入力する携帯機器に適用できる。
【図面の簡単な説明】
【００２８】
【図１】本発明の実施の形態に係るコマンド入力方式の手順を示した説明図である。
【図２】本発明の他の実施の形態に係るコマンド入力方式の手順を示した説明図である。
【図３】本発明の他の実施の形態に係る携帯機器を示すブロック構成図である。
【図４】図３の動作を説明するためのフローチャートである。
【符号の説明】
【００２９】
１  入力部    ２  入力箇所認識部    ３  入力反応領域制御部    ４  表示部    ５  記憶部    ６  コマンド呼び出し部    ７  コマンド実行部
【図１】
2007086975.tif 000003
【図２】
2007086975.tif 000004
【図３】
2007086975.tif 000005
【図４】
2007086975.tif 000006